(57)【要約】【課題】画像およびこれとは独立したテキストを、バランスの取れた状態でユーザの通信端末に表示させる。【解決手段】本発明のサーバ１０は、ユーザが所望する、１または複数のテキストおよび１または複数の画像を通信端末にて表示するためのアルバムページを作成するアルバムページ作成部２１を備えており、アルバムページ作成部２１は、上記テキストにテキスト用背景画像を合成したテキスト画像のデータと、上記画像のデータとを含むアルバムページを作成する。【選択図】図１
2010009250.tif 000002
【特許請求の範囲】
【請求項１】
ユーザの通信端末および写真撮影プリント装置と通信ネットワークを介して接続し、該通信端末で表示できるデータを提供するサーバ装置において、
上記ユーザが所望する、１または複数のテキストおよび１または複数の上記写真撮影プリント装置で撮影された画像を上記通信端末にて表示するためのアルバムページを作成するアルバムページ作成手段を備えており、
該アルバムページ作成手段は、上記テキストにテキスト用背景画像を合成したテキスト画像のデータと、上記画像のデータとを含むアルバムページを作成することを特徴とするサーバ装置。
【請求項２】
上記画像のデータおよびテキストのデータを記憶しているデータ記憶部と、
上記データ記憶部に記憶されている画像のデータおよびテキストのデータのうち、上記アルバムページに用いる画像のデータおよびテキストのデータをユーザの指示に基づいて選択する選択手段と、
上記選択手段が選択した画像およびテキストの配置を、ユーザの指示に基づいて決定する配置決定手段と、を備え、
上記アルバムページ作成手段は、上記配置決定手段が決定した配置のデータを含むアルバムページを作成することを特徴とする請求項１に記載のサーバ装置。
【請求項３】
上記データ記憶部に記憶されている画像のデータおよびテキストのデータを編集する編集手段を備え、
上記アルバムページ作成手段は、上記アルバムページに含まれる画像およびテキストのデータの少なくとも１つを上記編集手段が編集すると、編集後のデータを含むアルバムページに更新することを特徴とする請求項１または２に記載のサーバ装置。
【請求項４】
上記アルバムページ作成手段は、上記画像および上記テキスト画像に背景画像を合成することを特徴とする請求項１〜３のいずれか１項に記載のサーバ装置。
【請求項５】
請求項１〜４のいずれか１項に記載のサーバ装置を動作させるサーバ装置制御プログラムであって、コンピュータを上記の各手段として機能させるためのサーバ装置制御プログラム。
【請求項６】
請求項５に記載のサーバ装置制御プログラムを記録したコンピュータ読み取り可能な記録媒体。
【請求項７】
ユーザの通信端末および写真撮影プリント装置と通信ネットワークを介して接続し、該通信端末で表示できるデータを提供するサーバ装置の制御方法であって、
上記ユーザが所望する、１または複数のテキストおよび上記写真撮影プリント装置で撮影された１または複数の画像を上記通信端末にて表示するためのアルバムページを作成するアルバムページ作成ステップを含んでおり、
該アルバムページ作成ステップで、上記テキストにテキスト用背景画像を合成したテキスト画像のデータと、上記画像のデータとを含むアルバムページを作成することを特徴とするサーバ装置の制御方法。
【発明の詳細な説明】
【技術分野】
【０００１】
本発明は、サーバ装置、特に、通信ネットワークを介して通信端末と接続し、該通信端末で表示できるデータを提供するサーバ装置、サーバ装置の制御方法、サーバ装置制御プログラムおよび該プログラムを記録したコンピュータ読み取り可能な記録媒体に関するものである。
【背景技術】
【０００２】
従来から、ゲームセンターやアミューズメントパークなどの娯楽施設において、ユーザが自分の姿を撮影し、その撮影した画像に背景画像等を合成して、シールプリントとして出力する写真撮影プリント装置が設置されており、人気を博している。
【０００３】
この写真撮影プリント装置では、写真撮影後に表示画面に撮影した画像を表示し、タッチペンなどのポインティングデバイスによって落書き等の編集処理を施し、編集された画像をシールプリントとして出力することが可能である。
【０００４】
また、編集した画像を写真撮影プリント装置から出力するだけでなく、ユーザの携帯電話端末等に編集した画像の画像データを送信できるサービスも広がっている。これにより、ユーザは、携帯電話端末で受信した画像データを、待受画面等に設定する等して活用するということも可能である。
【０００５】
通常、上記サービスは、写真撮影プリント装置からインターネット上のサーバに上記合成画像データを送信し、サーバ上に保存しておき、ユーザが携帯端末から上記サーバにアクセスすることにより行われている。そして、１つのサーバに対し、複数台の写真プリント装置から合成画像データが送信される。上記サービスは、特に好評で、最近では大半のユーザが利用している。
【０００６】
また、サーバ上に複数の画像データを保存し、ＰＣ上で画像を予め定められたレイアウトで表示する電子アルバムの技術が、特許文献１に記載されている。これは、ユーザが、デジタルカメラなどのデジタル画像機器で撮影した画像データをサーバに保存し、レイアウトの選択や画像の配置等の編集を行って、ＰＣ上に表示させるものである。
【０００７】
また、特許文献２には、電子アルバムにおいて、画像の配置を変更したときに、該画像と関連付けられた文字列が変更後の位置で文字領域に収まらない場合等に対応する技術が記載されている。
【特許文献１】特開２００６−１３４２２９号公報（２００６年５月２５日公開）
【特許文献２】特開２００７−４１９４４号公報（２００７年２月１５日公開）
【発明の開示】
【発明が解決しようとする課題】
【０００８】
上記特許文献１、２に記載の技術では、表示できるのは画像およびこれと対応づけられたテキストのみである。したがって、画像から独立したテキストを表示させることは考慮されていない。
【０００９】
また、画像から独立したテキストを、画像とともに表示した場合、上記テキストは上記画像に比べて目立たないため、上記テキストと上記画像との表示のバランスが悪い。
【００１０】
本発明は、上記の問題点に鑑みてなされたものであり、その目的は、画像およびこれとは独立したテキストを、バランスの取れた状態でユーザの通信端末に表示させることができるサーバ装置等を実現することにある。
【課題を解決するための手段】
【００１１】
上記課題を解決するために、本発明に係るサーバ装置は、ユーザの通信端末および写真撮影プリント装置と通信ネットワークを介して接続し、該通信端末で表示できるデータを提供するサーバ装置において、上記ユーザが所望する、１または複数のテキストおよび上記写真撮影プリント装置で撮影された１または複数の画像を上記通信端末にて表示するためのアルバムページを作成するアルバムページ作成手段を備えており、該アルバムページ作成手段は、上記テキストにテキスト用背景画像を合成したテキスト画像のデータと、上記画像のデータとを含むアルバムページを作成することを特徴としている。
【００１２】
また、本発明に係るサーバ装置の制御方法は、ユーザの通信端末および写真撮影プリント装置と通信ネットワークを介して接続し、該通信端末で表示できるデータを提供するサーバ装置の制御方法であって、上記ユーザが所望する、１または複数のテキストおよび上記写真撮影プリント装置で撮影された１または複数の画像を上記通信端末にて表示するためのアルバムページを作成するアルバムページ作成ステップを含んでおり、該アルバムページ作成ステップで、上記テキストにテキスト用背景画像を合成したテキスト画像のデータと、上記画像のデータとを含むアルバムページを作成することを特徴としている。
【００１３】
上記の構成および方法によれば、テキストにテキスト用背景画像を合成したテキスト画像と写真撮影プリント装置で撮影された画像とがともに、ユーザの通信端末で表示されるアルバムページが作成される。
【００１４】
これにより、画像とテキスト画像とがともに表示される。よって、画像とは独立したテキストを表示することができる。また、テキストにはテキスト用背景画像が合成されているので、画像と表示のバランスが取れた状態でテキストを表示させることができる。
【００１５】
したがって、画像およびこれとは独立したテキストを、表示のバランスの取れた状態でユーザの通信端末に表示させることができる。
【００１６】
例えば、画像が写真で、テキストがメモだった場合、そのまま両者を並べて表示すると、写真と文字とがともに表示されているだけで、メモが目立たないものになる。ここで、メモの背景に、ハートのデザインの画像を合成すると、写真とハートデザイン上にあるメモとが表示され、写真に対しメモが非常にバランスの取れたものとなる。
【００１７】
本発明に係るサーバ装置では、画像のデータおよびテキストのデータを記憶しているデータ記憶部と、上記データ記憶部に記憶されている画像のデータおよびテキストのデータのうち、上記アルバムページに用いる画像のデータおよびテキストのデータをユーザの指示に基づいて選択する選択手段と、上記選択手段が選択した画像およびテキストの配置を、ユーザの指示に基づいて決定する配置決定手段と、を備え、上記アルバムページ作成手段は、上記配置決定手段が決定した配置のデータを含むアルバムページを作成するものであることが好ましい。
【００１８】
上記の構成によれば、データ記憶部に記憶されている画像のデータおよびテキストのデータのうち、アルバムページに用いるものが、ユーザの指示に基づいて選択される。そして、選択された画像およびテキストのアルバムページにおける配置が、ユーザの指示に基づいて決定される。そして、アルバムページ作成手段は、配置決定手段が決定した配置で、アルバムページを作成する。
【００１９】
これにより、選択された画像およびテキストが、アルバムページの指定された配置で表示される。そして、アルバムページに用いる画像およびテキストの選択、およびアルバムページにおける配置が、ユーザの指示により決定されるので、ユーザの所望の画像およびテキストを、ユーザの所望の配置で表示するアルバムページを作成することできる。
【００２０】
そして、アルバムページをユーザの通信端末に提供することで、該通信端末でアルバムページを表示することができる。
【００２１】
本発明に係るサーバ装置では、上記データ記憶部に記憶されている画像のデータおよびテキストのデータを編集する編集手段を備え、上記アルバムページ作成手段は、上記アルバムページに含まれる画像およびテキストのデータの少なくとも１つを上記編集手段が編集すると、編集後のデータを含むアルバムページに更新するものであることが好ましい。
【００２２】
上記の構成によれば、データ記憶部に記憶されている、上記アルバムページに含まれる画像およびテキストのデータの少なくとも１つを上記編集手段が編集すると、アルバムページが編集後のものに更新される。
【００２３】
これにより、画像のデータおよびテキストのデータを編集するとともに、アルバムページに含まれる該画像のデータおよび該テキストのデータを同様に編集する作業を省略することができる。
【００２４】
すなわち、データ記憶部に記憶されている画像を編集すると、該画像がアルバムページに用いられていれば、アルバムページの画像に対しても編集が反映される。
【００２５】
本発明に係るサーバ装置では、上記アルバムページ作成手段は、上記画像および上記テキスト画像に背景画像を合成するものであることが好ましい。
【００２６】
上記の構成によれば、アルバムページ作成手段は、アルバムページに含まれる画像およびテキスト画像に背景画像を合成する。
【００２７】
これにより、背景画像の前に画像およびテキスト画像が存在する表示を行うことができる。例えば、背景画像としてコルクボードに似せた画像を用いれば、コルクボード上に画像やメモが貼付されている状態を表現でき、よりリアルな表示をユーザに提供できる。
【００２８】
なお、上記サーバ装置は、コンピュータによって実現してもよく、この場合には、コンピュータを上記各手段として動作させることにより上記サーバ装置をコンピュータにて実現させるサーバ装置の制御プログラム、およびそれを記録したコンピュータ読み取り可能な記録媒体も、本発明の範疇に入る。
【発明の効果】
【００２９】
以上のように、本発明に係るサーバ装置は、ユーザが所望する、１または複数のテキストおよび写真撮影プリント装置で撮影された１または複数の画像を通信端末にて表示するためのアルバムページを作成するアルバムページ作成手段を備えており、該アルバムページ作成手段は、上記テキストにテキスト用背景画像を合成したテキスト画像のデータと、上記画像のデータとを含むアルバムページを作成する構成である。
【００３０】
また、本発明に係るサーバ装置の制御方法は、ユーザが所望する、１または複数のテキストおよび写真撮影プリント装置で撮影された１または複数の画像を通信端末にて表示するためのアルバムページを作成するアルバムページ作成ステップを含んでおり、該アルバムページ作成ステップで、上記テキストにテキスト用背景画像を合成したテキスト画像のデータと、上記画像のデータとを含むアルバムページを作成する方法である。
【００３１】
これにより、写真撮影プリント装置で撮影された画像とテキスト画像とがともに表示される。よって、画像とは独立したテキストを表示することができるという効果を奏する。また、テキストにはテキスト用背景画像が合成されているので、画像と表示のバランスが取れた状態でテキストを表示させることができるという効果を奏する。
【００３２】
したがって、画像およびこれとは独立したテキストを、表示のバランスの取れた状態でユーザの通信端末に表示させることができるという効果を奏する。
【発明を実施するための最良の形態】
【００３３】
本発明の一実施の形態について図１〜図１０、図２１〜２３を参照して説明する。図２は、本実施形態である通信ネットワークシステム１の概略構成を示している。図２に示すように、通信ネットワークシステム１は、複数の携帯電話機（通信端末）２および複数の写真撮影プリント装置（通信端末）３が通信ネットワーク４を介してサーバ（サーバ装置）１０に接続された構成である。
【００３４】
携帯電話機２は、例えば携帯電話網やＰＨＳ（登録商標：Personal Handyphone System）電話網などの無線電話網による電話機能を有するとともに、該無線電話網を用いたデータ通信機能を有する通信端末である。なお、携帯電話機２以外にも、利用者が利用でき、かつ通信ネットワーク４に接続できる機器であれば、固定電話機、ＰＤＡ（Personal Digital Assistant）、ＰＣ（Personal Computer）などの任意の通信端末を本発明に適用することができる。
【００３５】
写真撮影プリント装置３は、利用者の撮影処理を行い、該撮影処理による撮影画像に対して背景の合成や落書きなどの編集処理を行い、該編集処理により作成された編集画像を所定の形式で印刷する装置である。本実施形態では、写真撮影プリント装置３は、データ通信機能を有しており、上記撮影処理による撮影画像、および／または、上記編集処理による編集画像を、通信ネットワーク４を介してサーバ１０に送信することができる。
【００３６】
ここで、写真撮影プリント装置３について、図２１〜２３を用いてより詳細に説明する。
【００３７】
まず、写真撮影プリント装置３の外観構成について、図２１を参照しながら説明する。図２１は、写真撮影プリント装置３の斜視図である。この写真撮影プリント装置３は、ユーザの写真を撮影する撮影部１０２と、撮影した写真（撮影画像）に対して落書きなどの編集をユーザに行わせる編集部１０３と、ユーザが編集を行った写真（編集画像）をプリント紙に出力する印刷部１０４とを有している。図２１の（ａ）は写真撮影プリント装置３における撮影部１０２側からの外観を示し、図２１の（ｂ）は編集部１０３および印刷部１０４側からの外観を示している。
【００３８】
図２２は、編集部１０３ａの正面図である。なお、編集部１０３ｂの構成は、編集部３ａと同様であるので、ここでは図示しない。編集部３ｂは、編集部３ａの対面に設けられている。以下では、まとめて編集部１０３として説明する。
【００３９】
編集部１０３は、ユーザが撮影部１０２による撮影工程を終了した後に、撮影画像に対して落書きなどの編集工程を実行するためのものであり、タッチパネル部１３１、タッチペン１３２、および、音声出力部１３３などで構成される。編集部１０３の各部は、制御部１１０によって制御される。上述の各部の詳細については後述する。
【００４０】
図２３は、印刷部１０４の正面図である。本実施形態では、編集部１０３ａおよび編集部１０３ｂの側面に印刷部１０４を設けており、したがって、図２３は、編集部１０３の側面を表している。印刷部１０４は、ユーザが編集部１０３による編集工程を終了した後の編集画像をシール紙にプリントして、プリントしたシール紙を排出するものである。本実施形態では、編集部１０３側面に、プリント排出口１４４ａおよび１４４ｂが設けられており、編集部１０３ａにて編集が行われた編集画像のシール紙は、プリント排出口１４４ａから排出され、編集部１０３ｂにて編集が行われた編集画像のシール紙は、プリント排出口１４４ｂから排出される。
【００４１】
上述のような構成の写真撮影プリント装置３において、ユーザは、まず撮影部１０２が備えられた撮影空間に入って撮影工程を実行し、その後、編集部１０３（編集部１０３ａまたは編集部１０３ｂ）が備えられた編集空間に移動して編集工程を実行し、印刷部１０４により撮影画像または編集画像のプリントされたシール紙を印刷空間にて受け取る、という流れでゲームの一連の工程を楽しむ。
【００４２】
そして、本実施の形態の写真撮影プリント装置３においては、複数枚の撮影を行うことが可能であり、撮影した複数枚の撮影画像に編集工程を実施した画像データを全てサーバ１０へ送信することができる。
【００４３】
以上のように、写真撮影プリント装置３は、撮影部１０２と編集部１０３とが別の空間に設けられている。よって、一組のユーザが編集部３において編集処理を行っている時でも、他のユーザが撮影処理を開始することが可能となっている。これにより、回転率を向上させることが可能である。
【００４４】
また、編集部１０３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【００４５】
また、本実施形態に係る写真撮影プリント装置３は図２１の（ａ）および（ｂ）に示すとおり、編集部１０３を２つ備える構造となっており、第１の編集部１０３ａと第２の編集部１０３ｂとが対面に設置されている。このように、編集部１０３を撮影部１０２よりも多く設けることで、ボトルネックとなっている編集工程に係る処理時間を分散し、回転率を向上させることが可能である。しかし、本発明の写真撮影プリント装置３は、上述の構成に限定されない。編集部１０３の設置位置は特に限定しないし、また、設置数も、編集部１０３を１つ設ける構成としてもよいし、設置場所が確保できれば、３つ以上の編集部１０３を設けるようにしてもよい。
【００４６】
次に、図２４を用いて、写真撮影プリント装置３における制御部１１０および写真撮影プリント装置３の各部の動作について説明する。図２４は、本実施形態に係る写真撮影プリント装置３の要部構成を示すブロック図である。
【００４７】
本発明の写真撮影プリント装置３は、図２４に示すとおり、撮影部１０２、編集部１０３、印刷部１０４、通信部１０６、制御部１１０、および、記録部１５０を備えた構成となっている。
【００４８】
制御部１１０は、写真撮影プリント装置１が備える上述の各部の動作を統括的に制御するものである。この制御部１１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１１０がインターネットなどの通信ネットワークに接続された構成とする場合、この通信ネットワークを介して上記プログラムをダウンロードしてハードディスクなどにインストールして実行する形態なども考えられる。
【００４９】
写真撮影プリント装置３は、上記したハードディスクなどの不揮発性の記憶装置によって構成される記録部１５０を備える。この記録部１５０に記憶される内容としては、上記制御プログラム、ＯＳ（Operating System）プログラム、その他の各種プログラム、カメラ部１２３における動作設定値、撮影画像および編集画像の画像データなどが挙げられる。上記カメラ部１２３における動作設定値としては、写真撮影プリント装置３出荷時やメンテナンス時などに設定されるホワイトバランスの値、撮影画像の明暗などを調整する際の画像処理に関する各種パラメータ値などが挙げられる。
【００５０】
撮影部１０２は、撮影工程を実行するものであり、硬貨処理部１２１、照明部１２２、カメラ部１２３、撮影画像表示部１２４、カメラ画像表示部１２５、および、操作部１２６により構成されている。なお、ここには図示しないが、撮影部１０２には、ユーザにある動作を促すよう音声案内を行うための音声出力部が含まれていてもよい。
【００５１】
硬貨処理部１２１は、ユーザから料金の徴収を行う際の硬貨投入／返却処理を行うものである。所定の硬貨が投入されたと判定すると、制御部１１０に通知する。そして、制御部１１０は、硬貨処理部１２１からの通知を受け取ると、課金処理を行う。すなわち、制御部１１０は、硬貨処理部１２１からの通知をカウントし、ユーザが投入した金額に応じて、ユーザに対する各種動作を制御する。
【００５２】
照明部１２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００５３】
カメラ部１２３は、主にユーザを被写体として写真撮影を行うものであり、例えばレンズ群、絞り、ＣＣＤ（charge coupled device）撮像素子などを備えたデジタルカメラによって構成される。カメラ部１２３は、全身撮影とクローズアップ撮影との両方に対応できるように、例えば使用するレンズ群および絞りを切り替えられるような構成となっている。
【００５４】
撮影画像表示部１２４は、ユーザにユーザインターフェイスを提供するものであり、各種画像や各種操作ボタン等を表示する。操作部１２６は、写真撮影プリント装置３に対するゲームの操作をユーザが行うための指示信号を入力する入力デバイスである。本実施形態では、操作部１２６を撮影画像表示部１２４と一体としたタッチパネルとして実現する。すなわち、撮影画像表示部１２４に、操作ボタンなどのＧＵＩ画面を表示する。撮影画像表示部１２４の表示画面がユーザの指（または、タッチペンなどのポインティングデバイス）により押下されることにより、その位置に対応するボタンや画像を示す指示信号が、写真撮影プリント装置３内部に入力される。
【００５５】
撮影画像表示部１２４は、例えば、液晶表示素子等のフラットパネルディスプレイやＣＲＴなどの表面にタッチパネルが設けられて構成されている。カメラ部１２３が撮影した撮影画像を撮影画像表示部１２４に表示することにより、ユーザは、撮影画像を確認することができる。なお、本実施形態では、操作部１２６を撮影画像表示部１２４と一体に設けたタッチパネルとして構成することとしたが、これに限定されず、操作部１２６を、例えば、テンキーや十字キーなどが設けられたリモコンや、キーボードなどの入力デバイスとして構成してもよい。
【００５６】
カメラ画像表示部１２５は、カメラ部１２３がとらえるリアルタイムの映像、すなわち、撮影前のライブビュー画像を表示するものである。カメラ画像表示部１２５にライブビュー画像を表示することにより、ユーザは前もって写りを確認して撮影に臨むことができる。
【００５７】
編集部１０３は、編集工程を実行するものであり、タッチパネル部１３１およびタッチペン１３２により構成されている。編集部１０３には、さらに、音声出力部１３３が含まれていてもよい。
【００５８】
タッチパネル部１３１は、ユーザにユーザインターフェイスを提供するものであり、編集画像表示部１３１ａおよび操作受付部１３１ｂにより構成される。編集画像表示部１３１ａは、編集工程における編集の対象となる画像（編集対象画像）や、撮影画像に編集を施した結果（合成画像）を表示するものである。操作受付部１３１ｂは、タッチペンなどのポインティングデバイスを用いることにより入力されたユーザの指示信号を受け付けて、写真撮影プリント装置３内部に伝達するものである。
【００５９】
タッチペン１３２は、画像編集処理などにおいて、タッチパネル部１３１上で細かな操作入力をユーザが行うためのものであり、タッチパネル部１３１の近くに配備される。ユーザは、このタッチペン１３２をタッチパネル部１３１に接触または接近させることによって、処理の進行に応じて表示されるボタンを選択したり、落書きなどの画像描画を行ったりすることができる。
【００６０】
例えば、タッチパネル部１３１の画面がタッチペン１３２で押下されることにより、その位置に対応するボタンや画像を示す指示信号が、写真撮影プリント装置３内部に入力される。これにより、ユーザは、撮影画像に落書きを施したり、スタンプを押したり、また、印刷の対象となる印刷対象画像を選択したりすることができる。
【００６１】
なお、本実施形態では、複数のユーザが容易に画像編集を行うようにするために、タッチペン１３２を２本配備しているが、構成の簡略化のために、１本のみを配備することもできるし、３人以上のユーザのために、３本以上を配備することもできる。同様に、タッチペン１３２を複数個配備することもできる。
【００６２】
音声出力部１３３は、各種操作上のガイダンス音声や効果音などを出力するものであり、写真撮影プリント装置３の適所に配備される。この音声出力部１３３としては、例えばスピーカが用いられる。
【００６３】
印刷部１０４は、印刷対象として選択された撮影画像および／または編集画像を印刷することにより印刷工程を実行するものであり、ＩＤタグリーダ／ライタ部１４１、および、プリンタ部１４２により構成されている。この印刷部４に対して、写真プリントの出力媒体となるシール紙１４５と、ＩＤタグ１４６とが、シール紙ユニット１４３としてセットで納入されるようになっている。
【００６４】
プリンタ部１４２は、出力すべき画像データが制御部１１０から送られてくると、その画像データに基づいてシール紙１４６に印刷するものである。このプリンタ部１４２としては、例えば昇華型プリンタが用いられる。なお、昇華型プリンタを用いる場合には、シール紙１４６およびＩＤタグ１４５に加えて、昇華型用インクフィルムがセットとなって納入されることになる。
【００６５】
ＩＤタグリーダ／ライタ部１４１は、ＩＤタグ１４５に記録されている各種識別情報を読み出して制御部１１０に出力する。ＩＤタグ１４５は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６６】
制御部１１０は、ＩＤタグリーダ／ライタ部１４１で読み取った識別情報に基づいて、装着されたシール紙１４６およびインクフィルムが、当該写真撮影プリント装置３において利用可能なものであるかを判定し、利用可能である場合にのみプリンタ部１４２を動作可能とする。すなわち、写真撮影プリント装置３において指定されているシール紙１４６およびインクフィルム以外は使用できないように設定されていることになる。
【００６７】
また、ＩＤタグ１４５に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００６８】
なお、用紙枚数をカウントダウンする際には、ＩＤタグ１４５に記録されている用紙枚数情報も書き換えることが望ましい。これにより、用紙を使い切った場合には、ＩＤタグ１４５に記録されている用紙枚数情報も０となり、このＩＤタグ１４５を無効にすることが可能となる。
【００６９】
また、ＩＤタグ１４５に記録されている用紙種類情報や、インク固有の色情報を読み出すことによって、これらを考慮して画像データの色成分などを補正することにより、そのシール紙１４６やインクフィルムに的確な画像出力を行うことが可能となる。
【００７０】
ＩＤタグ１４５としては、無線（ワイヤレス）によりデータ通信を行うことが可能な非接触型ＩＤタグと、端子が設けられた接触型ＩＤタグとがあり、ＩＤタグリーダ／ライタ部１４１としては、これらの何れか一方あるいは両方に対応したものとなる。
【００７１】
なお、上述の例では、利用可能なシール紙１４６であるか否かを確認するために、ＩＤタグ１４５を利用しているが、これに限定されるものではなく、例えば、シール紙１４６およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７２】
なお、本実施形態では、シール紙１４６として、粘着シートおよび該粘着シートの粘着面に貼り付けられている剥離シートからなるシールシートを想定しているが、これに限定されない。シール紙１４６の代わりに、通常の紙状媒体である紙状シートを用いるように本発明の写真撮影プリント装置３を構成することもできる。
【００７３】
また、本発明の写真撮影プリント装置３は、カーテン部１２７を備えていてもよい。カーテン部１２７は、撮影画像の背景となるカーテンを提供するものである。カーテンは、さまざまな色や模様を施されたものが用意され、撮影時に、ユーザが自由に選択できたり、写真撮影プリント装置３が自動で選択したりする。これら複数のカーテンは、撮影空間の背面（撮影部２の対面）に重ねて配置されており（図２１の（ａ）および（ｂ））、撮影時には、選択されたカーテンが、被写体の背後に写るよう、最前面に設置される。選択されたカーテンの設置は、制御部１１０の背景制御部１１５がカーテン部１２７を制御することにより実行してもよいし、ユーザ自身が手動で行う構成としてもよい。
【００７４】
また、本実施形態では、カーテン部１２７が複数のカーテンを提供する構成としたが、これに限定されない。カーテン部１２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００７５】
次に、写真撮影プリント装置３の制御部１１０および記録部１５０についてより詳細に説明する。図２４に示すとおり、制御部１１０は、さらに内部に撮影画像取得部１１１、画像編集部１１２、印刷画像作成部１１３、通信処理部１１４、および背景制御部１１５を有している。なお、背景制御部１１５については、上記したとおりであるので、ここでは説明を省略する。
【００７６】
記録部１５０は、撮影画像を記録する撮影画像記録部１５１、画像編集において提供される、背景画像、フレーム画像、スタンプ画像などの編集用画像を記録する編集用画像記録部１５２、編集画像に関する情報を記録する編集画像情報記録部１５３、および印刷画像を記録する印刷画像記録部１５４を含んでいる。
【００７７】
撮影画像取得部１１１は、被写体の撮影によって作成された撮影画像をカメラ部１２３から取得するものである。撮影画像取得部１１１は、取得した撮影画像を撮影画像記録部１５１に記録する。
【００７８】
画像編集部１１２は、ユーザの操作にしたがって、撮影画像に対し画像編集を実行するものである。画像編集の例としては、編集用画像記録部１５２から読み出した背景画像および／またはフレーム画像を追加したり、編集用画像記録部１５２から読み出したスタンプ画像を任意の位置に追加したり、タッチペンによる落書きを追加したりすることなどが挙げられる。しかしながら、画像編集は、上述した例に限定されず、写真撮影プリント装置１に接続された何らかの入力手段（入力部）をユーザが操作することによって、編集が実行され、当初の撮影画像に変更が加えられた結果としての合成画像を得られる編集であれば、どのような処理内容の編集工程であってもよい。
【００７９】
そして、画像編集部１１２は、合成画像情報に含まれるデータや編集内容に関する編集画像情報を編集画像情報記録部１５３に記録している。
【００８０】
印刷画像作成部１１３は、複数の分割領域のそれぞれに、該分割領域のサイズに合わせた編集画像を配置した印刷画像を作成するものである。印刷画像における編集画像のサイズおよび配置は、通常、ユーザが複数のパターンの中から１つを選択することによって決定されるが、ユーザが自由に決定してもよいし、写真撮影プリント装置３がランダムに決定しても良い。印刷画像作成部１１３は、作成した印刷画像記録部１５４に記録する。そして、制御部１１０は、適当なタイミングで印刷画像記録部１５４に記録された印刷画像をシール紙１４６に印刷するようにプリンタ部１４２に指示する。
【００８１】
通信処理部１１４は、通信インタフェースである通信部６を介して外部装置との通信処理を実行するものである。この通信処理部１１４は、合成画像情報および付加情報の送受信処理を実行するとともに、合成画像情報の送受信にともなって合成画像情報を適宜のデータ形式に変換する処理を行う。
【００８２】
以上が、写真撮影プリント装置３についての説明である。
【００８３】
通信ネットワーク４には、インターネット、ＬＡＮ（Local Area Network）など、公知の通信ネットワークを利用することができる。また、通信ネットワーク４に利用される通信回線には、公衆通信回線、専用線、ＩＳＤＮ（Integrated Services Digital Network）など、公知の通信回線を利用することができる。
【００８４】
サーバ１０は、各ユーザの個人情報を携帯電話機２および／または写真撮影プリント装置３から取得し、取得した個人情報を含む個人ページを作成して、上記各ユーザの携帯電話機２などに提供するものである。上記個人情報の例としては、ニックネームなどの上記ユーザの名称、プロフィール、および日記の他、携帯電話機２および／または写真撮影プリント装置３にて作成された画像、該画像のサムネイル画像などが挙げられる。
【００８５】
すなわち、サーバ１０は、写真撮影プリント装置３で撮影した画像を取得して個人ページを作成するものである。また、サーバ１０は、写真撮影プリント装置３で撮影した画像のうち、１枚だけでなく、写真撮影プリント装置３で撮影した全ての画像を取得するものである。
【００８６】
なお、本願に記載の「ページ」は、例えばウェブページのように、サーバ１０が携帯電話機２などの通信端末に送信して表示するためのデータを意味する。上記ページには、通常、テキストデータおよび画像データが含まれており、さらに、音声データが含まれていてもよい。
【００８７】
また、サーバ１０は、携帯電話機２や写真撮影プリント装置３等で作成した画像や、携帯電話機２で作成したメモ等から、所望の画像およびメモを所望の位置に配置したアルバム（一覧表示画面、ボード）を含むアルバムページを作成するものである。そして、作成したアルバムページを携帯電話機２に提供することにより、携帯電話機２において該アルバムページを表示することができる。なお、アルバムとは、表示画面上で、画像やメモをともに表示している領域をいう。
【００８８】
本実施の形態では、サーバ１０は、携帯電話機２や写真撮影プリント装置３で作成した画像のみならず、携帯電話機２で作成したメモ等もメモ用背景画像と合成した上で、該画像とともに所望の位置に配置したアルバムとして表示させるアルバムページを作成する。これにより、ユーザは、画像だけでなくメモも同時に、所望の位置で表示されたページを視認することができる。また、メモは文字だけの素っ気ないものではなく、メモ用背景画像と合成されることで、画像とバランスの取れた表示とすることができる。
【００８９】
次に、各構成の詳細について説明する。なお、本実施形態の携帯電話機２、写真撮影プリント装置３、および通信ネットワーク４は、現在市販されている一般的な機器を利用できるので、これらの詳細な説明を省略する。
【００９０】
図１は、サーバ１０の概略構成を示している。図１に示すように、サーバ１０は、制御部１２、記憶部１３、および通信部１１を含む構成である。制御部１２は、サーバ１０の各種構成の動作を統括的に制御するものである。この制御部１２は、例えばＰＣベースのコンピュータによって構成される。そして、各種構成の動作制御は、制御プログラムを上記コンピュータに実行させることによって行われる。
【００９１】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１２がインターネットなどの通信ネットワークに接続された構成とする場合、この通信ネットワークを介して上記プログラムをダウンロードしてハードディスクなどにインストールして実行する形態なども考えられる。
【００９２】
記憶部１３は、ＲＯＭ（Read Only Memory）、ＲＡＭ（Random Access Memory）、ハードディスクなどの記憶装置を備える。記憶部１３に記憶される内容としては、制御部１２における各種構成の制御動作を行うための制御プログラム、ＯＳ（Operating System）プログラム、その他各種プログラムおよび各種データが挙げられる。
【００９３】
通信部１１は、通信ネットワーク４を介して携帯電話機２、写真撮影プリント装置３と通信を行うためのものである。通信部１１は、制御部１２から受信した各種データを、通信ネットワーク４上でのデータ通信に適した形式に変換した後、通信ネットワーク４上に送信する。また、通信部１１は、通信ネットワーク４上から受信した各種データを装置内部のデータ形式に変換した後、制御部１２に送信する。
【００９４】
次に、制御部１２および記憶部１３の詳細について説明する。なお、以下では、サーバ１０の制御部１２と携帯電話機２または写真撮影プリント装置３との間のデータ通信において、データを中継する通信ネットワーク４および通信部１１の説明を省略する。
【００９５】
図１に示すように、制御部１２は、画像登録部（編集手段）１４、メモ登録部（編集手段）１５、指示取得部１６、表示ページ作成部１７、検索部１８、合成画像作成部（選択手段）１９、画像位置決定部（配置決定手段）２０、およびアルバムページ作成部（アルバムページ作成手段）２１を含む構成である。また、記憶部１３は、画像ＤＢ（データベース）（データ記憶部）２２、メモＤＢ（データ記憶部）２３、および表示ＤＢ２４を記憶している。
【００９６】
画像登録部１４は、通信部１１を介して、携帯電話機２や写真撮影プリント装置３から取得した画像データを画像ＤＢ２２へ記憶させるものである。なお、画像登録部１４は、画像データだけでなく、画像に付随する各種情報である、画像を撮影した時の天気、撮影した場所（スポット）、撮影日時、撮影した都道府県、撮影した時の気分、画像に対するコメント等を示すデータも画像ＤＢ２２へ記憶させる。
【００９７】
なお、画像登録部１４は、写真撮影プリント装置３で撮影された画像のうち、１枚のみの取得に限らず、写真撮影プリント装置３で撮影した画像全てを取得する。これにより、ユーザは、後述するアルバムページで、写真撮影プリント装置３で撮影した画像全てを確認することができ、撮影したときの雰囲気や状況を思い出すことができる。
【００９８】
また、画像登録部１４は、画像ＤＢ２２に記憶されている画像データの編集指示を受け付け、該編集を反映した画像データを画像ＤＢ２２に記憶させる。
【００９９】
メモ登録部１５は、通信部１１を介して、携帯電話機２や写真撮影プリント装置３から取得したメモデータをメモＤＢ２３へ記憶させるものである。なお、メモ登録部１５は、メモデータだけでなく、メモに付随する各種情報である、日付、メモを書いた時の気分、メモを表示させるときの背景となるデザインを指定する情報もメモＤＢ２３へ記憶させる。ここで、メモデータとは、ユーザによって入力された文章データ（テキストデータ）およびそのタイトル（テキストデータ）である。またデザインとはメモの背景となる画像データである。なお、このメモの背景となる画像データ（メモ用背景画像）は、表示ＤＢ２４に記憶されている。
【０１００】
また、メモ登録部１５は、メモＤＢ２３に記憶されているメモデータの編集指示を受け付け、該編集を反映したメモデータをメモＤＢ２３に記憶させる。
【０１０１】
指示取得部１６は、通信部１１を介して、携帯電話機２や写真撮影プリント装置３からサーバ１０に対するユーザからの指示を取得し、取得した指示の内容に基づいて、検索部１８、合成画像作成部１９、および画像位置決定部２０の少なくとも１つに上記指示を示す情報を送信する。例えば、サーバ１０に対する指示が、画像データやメモデータの検索であれば、指示取得部１６は、検索部１８に対し、画像データやメモデータを検索させるための指示を示す情報を送信する。また、画像やメモのアルバム表示、または特定の画像、メモを表示させる指示であれば、指示取得部１６は、合成画像作成部１９に対し、当該指示を示す情報を送信する。
【０１０２】
検索部１８は、指示取得部１６から検索指示を示す情報を受信すると、検索対象となるデータを画像ＤＢ２２およびメモＤＢ２３から検索し、結果を示す情報を表示ページ作成部１７へ送信する。なお、検索を行うに当たり、画像データであれば、撮影した場所（スポット）、撮影日時、気分、コメントを検索項目として用いることが可能である。また、メモデータであれば、タイトル、本文、日付、気分を検索項目として用いることが可能である。
【０１０３】
合成画像作成部１９は、指示取得部１６からコンテンツ表示を示す指示を受信すると、画像ＤＢ２２、メモＤＢ２３、および表示ＤＢ２４から該コンテンツを示すデータを取得し、表示ページ作成部１７へ送信する。また、コンテンツが複数のデータを合成したものであれば、画像ＤＢ２２、メモＤＢ２３、および表示ＤＢ２４から該コンテンツを示す画像データを合成し、合成したコンテンツデータを表示ページ作成部１７へ送信する。また、コンテンツデータおよび合成したコンテンツデータのサムネイル画像を作成し、表示ＤＢ２４へ記憶させる。
【０１０４】
ここで、コンテンツとは、メモ用背景画像と合成したメモデータや画像データをいう。
【０１０５】
例えば、コンテンツとして画像データを表示する指示であれば、該画像データを画像ＤＢ２２から取得し、表示ページ作成部１７へ送信する。また、コンテンツとしてメモデータを表示する指示であれば、メモＤＢ２３からメモデータを取得し、該メモデータに対応づけられているメモの背景となるデザインデータ（メモ用背景画像）を表示ＤＢ２４から取得し、メモデータおよびデザインデータを合成したコンテンツデータを表示ページ作成部１７へ送信する。
【０１０６】
画像位置決定部２０は、指示取得部１６からコンテンツを配置する位置を示す情報を受信すると、当該コンテンツが示された位置へ配置されることを示す配置情報を、当該画像と対応づけて、画像ＤＢ２２またはメモＤＢ２３に記憶させる。また、表示ＤＢ２４に記憶されている当該コンテンツのサムネイル画像とも対応づけて、表示ＤＢ２４に配置情報を記憶させる。
【０１０７】
アルバムページ作成部２１は、表示ＤＢ２４に記憶されている背景画像（例えば、ボード画像）上に、同じく表示ＤＢ２４に記憶されている画像やメモのサムネイル画像をともに表示するアルバムを含むアルバムページを作成し、表示ページ作成部１７へ送信する。なお、このアルバムにおける画像やメモの配置位置は、画像位置決定部２０で決定した配置情報に基づいている。
【０１０８】
例えば、図３に示すように、ボード３１を１０区画に分け、それぞれの区画に対応して番号を割り当て、その番号に対応する区画へ画像を貼付し、アルバムを作成する。なお、この区画の数は、１０区画に限られるものではなく、上から３−３−３の９区画や、上から２−３−２の７区画など、適当に設定できる。
【０１０９】
また、アルバムページ作成部２１は、画像ＤＢ２２およびメモＤＢ２３に記憶されている画像データやメモデータが編集されると、アルバム上の画像やメモに対し、該編集を反映させる。
【０１１０】
表示ページ作成部１７は、検索部１８、合成画像作成部１９、アルバムページ作成部２１から受信した情報に基づいて、通信部１１を介して接続されている携帯電話機２に表示させる画面を作成するものである。表示ページ作成部１７が作成する画面としては、検索部１８が検索した結果を示す画面、合成画像作成部１９から受信した画像データまたは合成画像データ等のコンテンツを表示する画面、アルバムページ作成部２１から受信したアルバムページを表示する画面が挙げられる。
【０１１１】
画像ＤＢ２２は、ユーザに対応した画像データを記憶しているデータベースである。図４に、画像ＤＢ２２に記憶されているデータベースの例を示す。図４に示すように、画像ＤＢ２２には、画像データに対応づけて、画像を撮影した時の天気、撮影した場所（スポット）、撮影日時、撮影した都道府県、撮影した時の気分、画像に対するコメント、アルバムにおける配置位置が記憶されている。
【０１１２】
図４に示した例では、画像Ａと画像Ｂとが記憶されており、画像Ａと対応づけられているデータは、天気が「はれ」、撮影スポットが「東京タワー」、撮影日時が「２００７年３月１０日」、都道府県が「東京都」、気分が「しあわせ」、コメントはなし、配置もなしである。また、画像Ｂと対応づけられているデータは、天気が「くもり」、撮影スポットが「六本木ヒルズ」、撮影日時が「２００７年３月１３日」、都道府県が「東京都」、気分が「ドキドキ」、コメントはなし、配置は「３」である。
【０１１３】
メモＤＢ２３は、ユーザに対応したメモデータを記憶しているデータベースである。図５に、メモＤＢ２３に記憶されているデータベースの例を示す。図５に示すように、メモＤＢ２３には、メモデータに対応づけて、メモのタイトル、本文、日付、メモを書いた時の気分、メモを表示させるときの背景となるデザイン、アルバムにおける配置位置が記憶されている。
【０１１４】
なお、上述した画像データに対応づけられている各種項目は、写真撮影プリント装置３から取得することが可能である。そして、画像データに対応づけられている各種項目を用いて画像データを管理することにより、上記項目を用いて画像データの検索、ソート等が可能となる。これにより、よりユーザの要望に応じた画像データの管理が可能となる。
【０１１５】
また、上述した項目は、写真撮影プリント装置３から取得することができるので、ユーザが直接、手動で入力しなくてはならないという手間を省くことができる。
【０１１６】
図５に示した例では、メモａとメモｂとが記憶されており、メモａに対応づけられているデータは、タイトルが「カラオケ」、本文が「みんなでカラオケに行った。□□さんって歌うまい。負けた…。」、日付が「２００７年１０月１０日」、気分が「酔ってます」、デザインが「ハート」、配置が「５」となる。また、メモｂに対応づけられているデータは、タイトルが「誕生日」、本文が「今日は、誕生日なのに誰からもおめでとうと言われなかった…。」、日付が「２００８年１月１日」、気分が「笑えた」、デザインが「誕生日ケーキ」、配置が「９」となる。
【０１１７】
表示ＤＢ２４は、画像ＤＢ２２に記憶されている画像データやメモＤＢ２３に記憶されているメモデータに対応づけられる表示データ（例えば、メモデータの背景となるハートや誕生日ケーキの画像データ）や、これらのデータを表示するときの背景となる背景データ（例えば、コルクボードに似せた画像データ）、メモデータと背景とを合成した合成データや画像データのサムネイル画像、サムネイル画像の配置情報、アルバムページ等を記憶している。
【０１１８】
なお、本実施の形態では、画像データをＪＰＥＧ（joint photographic expert group）形式、メモデータ、デザインデータ、背景となるボードデータをＢＭＰ（bit map）形式、合成された画像またはメモをＧＩＦ（graphics interchange format）形式で作成しているが、これに限られるものではない。
【０１１９】
次に、本実施の形態における処理の流れについて説明する。まず、画像を登録する処理の流れについて図６を用いて説明する。図６は、携帯電話機２を用いて、画像を登録する処理の流れを示すフローチャートである。
【０１２０】
画像を登録する場合、画像のＩＤを直接入力する場合と電子メールに記載されているリンクをクリックすることにより画像のＩＤを入力する場合とがある。
【０１２１】
ここで、画像のＩＤとは、写真撮影プリント装置３で撮影した画像を示すＩＤであり、写真撮影プリント装置３で印刷した画像等に記載されている。また、電子メールは、写真撮影プリント装置３で撮影を行ったときに、電子メールアドレスを入力することにより送信されるものである。
【０１２２】
画像のＩＤを直接入力する場合、表示ページ作成部１７は、画像ＩＤ入力ページを送信する（Ｓ６０１）。そして、ＩＤの入力を受け付ける（Ｓ６０２）。なお、電子メールに記載されたリンクをクリックする場合、このリンクをクリックすることにより、サーバ１０は、画像ＩＤを受け付ける。
【０１２３】
そして、画像登録部１４は、上記ＩＤが示す画像が有効期限内か否かを判断し（Ｓ６０３）、有効期限が経過していれば（Ｓ６０３でＮＯ）、表示ページ作成部１７は、期限が経過している旨を示すページを作成し、送信する。
【０１２４】
一方、有効期限内であれば（Ｓ６０３でＹＥＳ）、画像登録部１４は、画像が上限枚数内か否かを判断し（Ｓ６０５）、上限枚数を超えていれば（Ｓ６０５でＮＯ）、表示ページ作成部１７は、画像ＤＢ２２に記憶されている画像のうち、何れかの画像を削除するように求めるページを作成し、送信する（Ｓ６０６）。そして、何れかの画像が削除されると（Ｓ６０７）、画像登録ページを作成、送信する（Ｓ６０８）。
【０１２５】
また、画像が上限枚数以内であれば（Ｓ６０５でＹＥＳ）、表示ページ作成部１７は、画像登録ページを作成、送信する（Ｓ６０８）。そして、画像登録部１４は、画像の登録を受け付け（Ｓ６１０）、処理が終了する。なお、この画像登録のときに、天気、撮影スポット、気分、コメント等を登録することができる。
【０１２６】
次に、登録されている画像をアルバム（ボード）に貼付する処理の流れについて説明する。図７は、登録されている画像をアルバムに貼付する処理の流れを示すフローチャートである。
【０１２７】
まず、表示ページ作成部１７は、アルバムに貼付する画像を選択するための選択ページを作成、送信する（Ｓ７０１）。そして、貼付する画像が選択されると（Ｓ７０２）、表示ページ作成部１７は、選択された画像をアルバムのどこに配置するかを選択させる配置位置選択ページを作成、送信する（Ｓ７０３）。そして、配置位置が選択されると、画像位置決定部２０は、当該位置に既に別の画像が存在しないかを判断する（Ｓ７０４）。そして、既に選択位置に画像が存在しているのであれば（Ｓ７０４でＹＥＳ）、表示ページ作成部１７は、ユーザに対し、上書きしてもいいかどうかを確認する確認ページを作成、送信する（Ｓ７０５）。そして、ユーザの選択が上書きをしてもよいというのであれば（Ｓ７０５でＹＥＳ）、そのまま画像を貼付し（Ｓ７０８）、上書きしないというのであれば（Ｓ７０５でＮＯ）、Ｓ７０３へ戻る。
【０１２８】
一方、選択位置に既に画像が存在しないのであれば（Ｓ７０４でＮＯ）、画像位置決定部２０は、選択された画像と同じ画像が既にアルバムに貼付されていないかを判断する（Ｓ７０６）。
【０１２９】
そして、既に同じ画像が貼付されているのであれば（Ｓ７０６でＹＥＳ）、表示ページ作成部１７は、既に同じ画像が貼付されているが、それでも選択した画像を貼付するか否かをユーザに確認する確認ページを作成、送信する（Ｓ７０７）。そして、ユーザが、それでも画像を貼付するという選択をした場合は（Ｓ７０７でＹＥＳ）、画像を貼付し（Ｓ７０８）、画像を貼付しないという選択をした場合は（Ｓ７０７でＮＯ）、そのまま処理を終了する。
【０１３０】
一方、同じ画像が貼付されていないのであれば（Ｓ７０６でＮＯ）、画像位置決定部２０は、選択された画像を選択された配置位置に貼付する（Ｓ７０８）。以上で、処理の流れは終了する。
【０１３１】
次に、メモを登録し、貼付する処理の流れについて説明する。図８は、メモを登録し、貼付する処理の流れを示すフローチャートである。
【０１３２】
まず、表示ページ作成部１７は、メモ受け付けページを作成、送信する（Ｓ８０１）。そして、メモの背景となるデザインの選択を受け付ける（Ｓ８０２）。そして、タイトル、本文の入力を受け付けると（Ｓ８０３）、表示ページ作成部１７は、メモの配置位置を選択するための配置位置選択ページを作成、送信する（Ｓ８０４）。そして、画像位置決定部２０は、選択された配置位置にメモを貼付する（Ｓ８０５）。以上で処理の流れが終了する。
【０１３３】
次に、画像データまたはメモデータを検索する処理の流れについて説明する。図９は、画像データまたはメモデータを検索する処理の流れを示すフローチャートである。
【０１３４】
まず、表示ページ作成部１７は、検索ページを作成、送信する（Ｓ９０１）。そして、検索部１８は、検索条件を受け付けると（Ｓ９０２）、当該検索条件で、画像ＤＢ２２およびメモＤＢ２３を検索する。そして、表示ページ作成部１７は、検索結果を示すページを作成、送信する（Ｓ９０３）。以上で、処理の流れは終了する。
【０１３５】
なお、上述した実施の形態では、アルバムは、画像またはメモがすべて表示されている状態で並べたものとして説明したが、これに限られるものではない。例えば、図１０に示すように、画像またはメモが一部重なった状態で表示されるアルバムであってもよい。この場合であっても、それぞれの区画に対応して番号を割り当てる等により上述した方法でアルバムを作成することが可能である。
【０１３６】
また、重なった状態で、かつ、いくつかの画像またはメモが傾いた状態で表示させることも可能である。この傾いた状態で表示させることは、例えば特許文献１に記載の公知の技術を用いて可能であるので、その説明は省略する。
【０１３７】
また、アルバムを含む共有ページを複数作成し、それぞれを特定のユーザに対してのみ公開することも可能である。例えば、複数の共有ページをそれぞれ「友人用」、「仕事仲間用」、「恋人用」にし、「友人用」は、特定の友人に対して、「仕事仲間用」は仕事仲間に対して、「恋人用」は恋人に対して公開することも可能である。
【０１３８】
〔実施例〕
次に、通信ネットワークシステム１の具体例について、図１１〜図２０を参照して説明する。図１１〜図２０は、サーバ１０から送信され、携帯電話機２にて表示される各種ページの一例と、各種ページ間のリンクの様子を示している。なお、以下で、携帯電話機２に表示される各種ページは、携帯電話機２がサーバ１０に要求することより取得するものである。
【０１３９】
図１１の（ａ）に示すように、まず、ユーザの携帯電話機２は、ユーザ自身の個人ページをサーバ１０に要求して取得することにより、携帯電話機２に第１個人ページ（アルバムページ）Ｄ１０が表示される。また、図１１の（ｂ）に示すように、第２個人ページＤ１１も第１個人ページＤ１０と同様に、携帯電話機２からサーバ１０へ要求することで取得でき、表示される。
【０１４０】
なお、第１個人ページとは、所望の画像やメモを所望の位置に配置したボード（アルバム、一覧表示画面）を含むページである。また、第２個人ページとは、画像ＤＢ２２やメモＤＢ２３に記憶されている画像やメモが予め設定されている順序で表示されるページである。
【０１４１】
また、第１個人ページの最初に表示される２枚の画像ＩＭＧ＿ａ、ＩＭＧ＿ｂは、ユーザが、写真撮影プリント装置３から送信した直近の全ての画像である。ここでは、２枚の画像を表示したが、これに限らず、写真撮影プリント装置３から送信した画像全てを表示することができる。このようにすることで、利用者は、直近の画像を撮影したときのことを思い出すことができ、本実施の形態の娯楽性を向上することができる。
【０１４２】
次に、画像登録をする場合について、図１２を用いて説明する。携帯電話機２のユーザは、画像通知メールＤ２１を受信し、画像通知メールＤ２１に記載されているリンクをクリックする。リンクに記載されているＵＲＬ（uniform resource locator）に誤りがなければ、有効期限内か否か、会員か否か、上限枚数内か否かが判断され、携帯電話機２に画像登録ページＤ２６が表示される。画像登録ページＤ２６で、ユーザは、天気、撮影スポット、気分を選択し、コメントを記載して確認ボタンを押すと、画像登録確認画面Ｄ２８が表示される。
【０１４３】
一方、ＵＲＬに誤りがあれば、ＵＲＬエラー画面Ｄ２３が表示される。また、有効期限が切れていれば、有効期限切れ画面Ｄ２５が表示される。また、上限枚数を超えていれば、画像登録エラー画面Ｄ２７が表示される。また、非会員であれば、非会員用のトップページが表示される。
【０１４４】
また、画像のＩＤを入力する場合は、ユーザは、ＩＤ入力画面（画像ＩＤ入力ページ）Ｄ２２を要求して、取得する。そして、入力したＩＤに誤りがなければ、上述した流れと同様に、有効期限ないか否か、会員か否か、上限枚数ないか否かが判断される。一方、入力したＩＤに誤りがあれば、エラー画面Ｄ２４が表示される。
【０１４５】
次に、登録された画像をボード（アルバム）に貼付する場合について、図１３を用いて説明する。携帯電話機２のユーザは、貼付する画像を選択し、画像表示画面Ｄ３１に表示させる。そして、「ボードに貼る」を選択すると、ボード貼り付け画面（配置位置選択画面）Ｄ３２が表示される。そして、画像を貼付する位置を選択すると、上書きか否か、同一画像が存在するか否かが判断されて、画像貼付確認画面Ｄ３３が表示される。
【０１４６】
一方、上書きであれば、上書き確認画面Ｄ３７が表示され、ユーザの選択に応じて、ボード貼り付け画面Ｄ３２または画像貼付確認画面Ｄ３３へ進む。また、同一画像が存在すれば、同一画像確認画面Ｄ３８が表示される。
【０１４７】
また、画像表示画面Ｄ３１で、削除が選択されると、当該画像がボードに貼付されているか否かを判断し、削除確認画面Ｄ３４、または削除確認画面Ｄ３５を表示する。そして、削除が選択されると削除完了画面Ｄ３６が表示される。
【０１４８】
次に、メモを作成する場合について、図１４を用いて説明する。携帯電話機２のユーザは、サーバ１０に要求することにより、第２個人ページＤ４１を取得する。そして、「メモを作成する」を選択すると、上限枚数内か否かが判断され、メモデザイン選択画面Ｄ４２が表示される。そして、メモデザインを選択すると、デザイン確認画面Ｄ４３が表示される。そして、デザインを確認すると、メモ作成画面（メモ受け付けページ）Ｄ４４が表示される。このメモ作成画面Ｄ４４で、日付、タイトル、本文、気分を入力し、「ＯＫ」を選択すると、エラーがないか判断され、メモ作成確認画面Ｄ４６が表示される。
【０１４９】
一方、エラーがあれば、メモ作成エラー画面Ｄ４５が表示される。
【０１５０】
次に、メモをボードに貼付する場合について、図１５を用いて説明する。メモ作成確認画面Ｄ５１（Ｄ４６）で、「ＯＫ」を押すと、メモ作成完了画面（配置位置選択ページ）Ｄ５２が表示される。ここで、メモを貼付したい位置を選択でき、位置を選択すると、エラーがないか判断され、メモ貼付画面Ｄ５３が表示される。
【０１５１】
一方、選択した位置に、既に別の画像またはメモが貼付されている場合は、上書き確認画面Ｄ５５が表示される。また、エラーがあれば、エラー確認画面Ｄ５４が表示される。
【０１５２】
次に、予め登録されているメモをボードに貼付する場合について、図１６を用いて説明する。予め登録されているメモからボードに貼付するメモを選択すると、メモ画像画面Ｄ６１が表示される。ここで、「ボードに貼る」を選択すると、貼付位置選択画面Ｄ６２が表示され、貼付位置が選択されると、エラーがないか判断され、貼付確認画面Ｄ６３が表示される。
【０１５３】
一方、選択した貼付位置に、既に別に画像やメモが存在する場合、上書き確認画面Ｄ６５が表示される。また、エラーがあれば、エラー画面Ｄ６４が表示される。
【０１５４】
また、メモ画像画面Ｄ６１で、「削除する」が選択されると、対象となるメモが既にボードに貼付されているか否かを判断し、削除確認画面Ｄ６６または削除確認画面Ｄ６７が表示される。そして、削除確認画面Ｄ６６または削除確認画面Ｄ６７で、「削除する」が選択されると、削除完了画面Ｄ６８が表示される。
【０１５５】
次に、画像やメモを検索する場合について、図１７を用いて説明する。第２個人ページＤ７１において、検索条件を設定の上、「検索」を選択すると、検索条件に該当したものがあれば、検索結果画面Ｄ７２が表示され、検索条件に該当するものがなければ、検索結果画面Ｄ７３が表示される。
【０１５６】
次に、ボードに貼付された画像またはメモを編集する場合について、図１８を用いて説明する。まず、画像に関連付けられているコメントを編集する場合、第１個人ページのボードから当該画像を選択することで、画像表示画面Ｄ８１が表示される。ここで、「コメントを編集する」を選択すると、画像編集画面Ｄ８２が表示される。そして、コメントを編集し、「確認」を選択すると、エラーがないか判断され、画像確認画面Ｄ８４が表示される。一方、エラーがあれば、エラー画面Ｄ８３が表示される。
【０１５７】
また、メモを編集する場合、第１個人ページのボードから当該メモを選択することで、メモ表示画面Ｄ８５が表示される。ここで、「メモを編集する」を選択すると、メモ編集画面Ｄ８６が表示される。そして、メモを編集し、「確認」を選択すると、エラーがないか判断され、メモ確認画面Ｄ８８が表示される。一方、エラーがあれば、エラー画面Ｄ８７が表示される。
【０１５８】
次に、ボードの貼付位置を設定した後、メモを編集する場合について、図１９を用いて説明する。第１個人ページＤ９１に表示されているボードにおいて、画像やメモが貼付されていない部分を選択すると、ボード貼付画面Ｄ９２が表示される。ここで、「新しくメモを作成する」を選択すると、メモデザイン選択画面Ｄ９３が表示される。そして、メモデザインを選択すると、メモデザイン確認画面Ｄ９４が表示される。ここで、「ＯＫ」を選択すると、メモ編集画面Ｄ９５が表示される。メモ編集画面Ｄ９５でメモの編集が行われ、「ＯＫ」が選択されると、エラーがないか判断され、メモ確認画面Ｄ９６が表示される。一方、エラーがあれば、エラー画面Ｄ９７が表示される。
【０１５９】
次に、第２個人ページから画像に関連づけられたコメント、またはメモを編集する場合について、図２０を用いて説明する。画像に関連づけられたコメントを編集する場合、第２個人ページから当該画像を選択することで、画像表示画面Ｄ２０１が表示される。ここで、「コメントを編集する」を選択すると、画像編集画面Ｄ２０２が表示される。そして、コメントを編集し、「確認」を選択すると、エラーがないか判断され、画像編集確認画面Ｄ２０３が表示される。一方、エラーがあれば、エラー画面Ｄ２０４が表示される。
【０１６０】
また、メモを編集する場合、第２個人ページから当該メモを選択することで、メモ表示画面Ｄ２０５が表示される。ここで、「メモを編集する」を選択すると、メモ編集画面Ｄ２０６が表示される。そして、メモを編集し、「ＯＫ」を選択すると、エラーがないか判断され、メモ編集確認画面Ｄ２０７が表示される。一方、エラーがあれば、エラー画面Ｄ２０８が表示される。
【０１６１】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６２】
最後に、サーバ１０の各ブロック、特に制御部１２は、ハードウェアロジックによって構成してもよいし、次のようにＣＰＵ（central processing unit）を用いてソフトウェアによって実現してもよい。
【０１６３】
すなわち、サーバ１０は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるサーバ１０の制御プログラムのプログラムコード（実行形式プログラム、中間コードプログラム、ソースプログラム）をコンピュータで読み取り可能に記録した記録媒体を、上記サーバ１０に供給し、そのコンピュータ（またはＣＰＵやＭＰＵ（microprocessor unit））が記録媒体に記録されているプログラムコードを読み出し実行することによっても、達成可能である。
【０１６４】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１６５】
また、サーバ１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６６】
複数の画像およびメモを所望の位置に並べて表示させることができるので、複数の画像およびメモを表示させる各種サービス、例えば、携帯電話機に複数の画像および表示させるサーバ装置に適用することができる。
【図面の簡単な説明】
【０１６７】
【図１】本発明の実施形態を示すものであり、サーバの要部構成を示すブロック図である。
【図２】上記実施の形態における、通信ネットワークシステムの概略構成を示すブロック図である。
【図３】上記実施の形態における、アルバム（ボード）の区分けを示す説明図である。
【図４】上記実施の形態における、画像ＤＢに記憶されているデータベースの例を示す図である。
【図５】上記実施の形態における、メモＤＢに記憶されているデータベースの例を示す図である。
【図６】上記実施の形態において、携帯電話機を用いて、画像を登録する処理の流れを示すフローチャートである。
【図７】上記実施の形態において、登録されている画像をアルバムに貼付する処理の流れを示すフローチャートである。
【図８】上記実施の形態において、メモを登録し、貼付する処理の流れを示すフローチャートである。
【図９】上記実施の形態において、画像データまたはメモデータを検索する処理の流れを示すフローチャートである。
【図１０】上記実施の形態において、画像またはメモが一部重なった状態で表示されるアルバムの例を示す説明図である。
【図１１】上記サーバから送信され、携帯電話機にて表示される各種ページの一例と、各種ページ間のリンクの様子を示す図である。
【図１２】上記サーバから送信され、携帯電話機にて表示される各種ページの一例と、各種ページ間のリンクの様子を示す図である。
【図１３】上記サーバから送信され、携帯電話機にて表示される各種ページの一例と、各種ページ間のリンクの様子を示す図である。
【図１４】上記サーバから送信され、携帯電話機にて表示される各種ページの一例と、各種ページ間のリンクの様子を示す図である。
【図１５】上記サーバから送信され、携帯電話機にて表示される各種ページの一例と、各種ページ間のリンクの様子を示す図である。
【図１６】上記サーバから送信され、携帯電話機にて表示される各種ページの一例と、各種ページ間のリンクの様子を示す図である。
【図１７】上記サーバから送信され、携帯電話機にて表示される各種ページの一例と、各種ページ間のリンクの様子を示す図である。
【図１８】上記サーバから送信され、携帯電話機にて表示される各種ページの一例と、各種ページ間のリンクの様子を示す図である。
【図１９】上記サーバから送信され、携帯電話機にて表示される各種ページの一例と、各種ページ間のリンクの様子を示す図である。
【図２０】上記サーバから送信され、携帯電話機にて表示される各種ページの一例と、各種ページ間のリンクの様子を示す図である。
【図２１】本実施の形態に係る写真撮影プリント装置の外観を示す斜視図であり、（ａ）および（ｂ）は、それぞれ異なる方向から見た上記写真撮影プリント装置の外観を示している。
【図２２】上記写真撮影プリント装置の編集部の正面図である。
【図２３】上記写真撮影プリント装置の印刷部の正面図である。
【図２４】上記写真撮影プリント装置の構成を示すブロック図である。
【符号の説明】
【０１６８】
１    通信ネットワークシステム
２    携帯電話機（通信端末）
３    写真撮影プリント装置（通信端末）
４    通信ネットワーク
１０    サーバ（サーバ装置）
１１    通信部
１２    制御部
１３    記憶部
１４    画像登録部（編集手段）
１５    メモ登録部（編集手段）
１６    指示取得部
１７    表示ページ作成部
１８    検索部
１９    合成画像作成部（選択手段）
２０    画像位置決定部（配置決定手段）
２１    アルバムページ作成部（アルバムページ作成手段）
２２    画像ＤＢ（データ記憶部）
２３    メモＤＢ（データ記憶部）
２４    表示ＤＢ
【図１】
2010009250.tif 000003
【図２】
2010009250.tif 000004
【図３】
2010009250.tif 000005
【図４】
2010009250.tif 000006
【図５】
2010009250.tif 000007
【図６】
2010009250.tif 000008
【図７】
2010009250.tif 000009
【図８】
2010009250.tif 000010
【図９】
2010009250.tif 000011
【図１０】
2010009250.tif 000012
【図１１】
2010009250.tif 000013
【図１２】
2010009250.tif 000014
【図１３】
2010009250.tif 000015
【図１４】
2010009250.tif 000016
【図１５】
2010009250.tif 000017
【図１６】
2010009250.tif 000018
【図１７】
2010009250.tif 000019
【図１８】
2010009250.tif 000020
【図１９】
2010009250.tif 000021
【図２０】
2010009250.tif 000022
【図２１】
2010009250.tif 000023
【図２２】
2010009250.tif 000024
【図２３】
2010009250.tif 000025
【図２４】
2010009250.tif 000026